(57)【特許請求の範囲】
【請求項１】
機器にメモリと接触端子を備えたメモリカードを、機器のコネクタに挿入して前記接触端子が接続端子に当接状態で電気的に接続させたときに発生する端子同士間の挿入時チャタリングと、前記接触端子が前記接続端子に当接状態で電気的に接続している後に発生する挿入後チャタリングとをそれぞれ検出し、異なる検知信号を発生することを特徴とするメモリカードコネクタチャタリング検出方法。
【請求項２】
異なる検知信号は、コントローラからのクロック信号とチャタリングが発生したときのチャタリング検知信号に基づいて発生することを特徴とする請求項１に記載のメモリカードコネクタチャタリング検出方法。
【請求項３】
異なる検知信号は、コントローラからのクロック信号とチャタリングが発生したときのチャタリング検知信号を比較して、一回一致の場合、挿入後チャタリングと判定する一回一致検知信号を発生し、Ｎ回一致の場合、挿入時チャタリングと判定するＮ回一致検知信号を発生することを特徴とする請求項２に記載のメモリカードコネクタチャタリング検出方法。
【請求項４】
メモリと接触端子とを備えたメモリカードを、挿入して接続端子と電気的に接続するコネクタを備えた機器であって、前記コネクタに挿入して前記接続端子と当接した状態で電気的な接続をしたときと、電気的に接続した後に発生するチャタリングとをそれぞれ検出し、異なる検知信号を発生するチャタリング検出手段を備えたことを特徴とする電子機器。
【請求項５】
光ディスクを再生することができる光ディスク再生手段と、メモリと接触端子とを備えたメモリカードを、挿入して接続端子と電気的に接続するコネクタを備えると共に、前記コネクタに挿入して前記接続端子と当接した状態で電気的な接続をしたときと、電気的に接続した後に発生するチャタリングとをそれぞれ検出し、異なる検知信号を発生するチャタリング検出手段と、を備えたことを特徴とする光ディスク再生装置。
【発明の詳細な説明】
【０００１】
【発明の属する技術分野】
本発明は、メモリカードコネクタチャタリング検出方法及び電子機器並びに光ディスク再生装置に関し、詳しくはメモリと接触端子を有するメモリカードを装着して端子同士が接触したときと、接触した後の端子間同士のチャタリングを検出し、このチャタリングが発生したときには、チャタリングが発生した時点から所定時間は信号授受を差し控えるように制御するメモリカードコネクタチャタリング検出方法及び電子機器並びに光ディスク再生装置に関する。
【０００２】
【従来の技術】
従来技術におけるコネクタにおける接点構造は、例えば、スティック形状に形成されたメモリカード側のコネクタの端子が平板形状の端子を複数個整列状態にして形成した接触端子、他方の機器側においては、この複数個整列状態で形成した平板形状の接触端子と接触するために、く字状に折り曲げ且つ付勢力を付与した導電性の金属ピンを複数個整列させた構造の接続端子を備えたコネクタが周知である。
【０００３】
これらの構造の接触端子を有するメモリカードは、そのメモリに記録或いはすでに記録されているデータを使用するため、機器の媒体装着部にメモリカードの接触端子を前にして挿入すると、接触端子が機器側のく字状の接続端子を押し広げるようにして中に入り込み、所定の付勢力を得た状態で電気的な接続状態を維持して、データの授受をすることができる。
【０００４】
【発明が解決しようとする課題】
しかしながら、従来技術で説明したメモリカードの接触端子と、機器側の接続端子の構造において、メモリカードは、メモリを構成する中身は極めて高度な回路及び記録密度の高いメモリ素子を搭載しているにもかかわらず、簡単にポケット等に入れて持ち運べること、及びメモリカードの挿抜動作は簡単にする必要があるため、単純な平板形状の端子を複数個整列形状にしてしかも端子部分は露出させた状態という極めて簡単な構造にして、電気的な障害は回路構成等を考慮して防止している。又、機器側の接点構造も機器のコストの削減等を考慮すると、上述したく字状に曲げた接続端子を複数個整列させて形成したもの、或いは、円弧状に形成して同じ機能を果たすようにした構造の接続端子になっている。
【０００５】
このように、平板形状の接触端子と、く字状の接続端子が接触すると、一応一定の付勢力が付与された状態で安定した電気的に接続させることができるが、メモリカードを装着した状態で何かの理由で、特に挿抜方向に動くことになると、平板形状の接触端子は、その平板上をく字状の接続端子の頂点が摺動し、特に平らな形状の接触端子の面にマクロ的な凹凸が生じている場合には、その凹凸上を接続端子の頂点が摺動することになり、ほんの一時的に電気的な接点が非接触状態になることがある。そのときにデータを読み書きする等の動作が行われていると、機器事態が誤動作をすることになるという問題がある。
【０００６】
従って、メモリカードを所定の機器に装着した後において、端子同士が非接触状態になって発生するチャタリング現象を検出して、適切な防止ができる構成に解決しなければならない課題を有する。
【０００７】
【課題を解決するための手段】
上記課題を達成するために、本発明に係るメモリカードチャタリング検出方法及び電子機器並びに光ディスク再生装置は、次に示す構成にすることである。
【０００８】
（１）機器にメモリと接触端子を備えたメモリカードを、機器のコネクタに挿入して前記接触端子が接続端子に当接状態で電気的に接続させたときに発生する端子同士間の挿入時チャタリングと、前記接触端子が前記接続端子に当接状態で電気的に接続している後に発生する挿入後チャタリングとをそれぞれ検出し、異なる検知信号を発生することを特徴とするメモリカードコネクタチャタリング検出方法。
（２）異なる検知信号は、コントローラからのクロック信号とチャタリングが発生したときのチャタリング検知信号に基づいて発生することを特徴とする（１）に記載のチャタリング検出方法。
（３）異なる検知信号は、コントローラからのクロック信号とチャタリングが発生したときのチャタリング検知信号を比較して、一回一致の場合、挿入後チャタリングと判定する一回一致検知信号を発生し、Ｎ回一致の場合、挿入時チャタリングと判定するＮ回一致検知信号を発生することを特徴とする（２）に記載のチャタリング検出方法。
【０００９】
（４）メモリと接触端子とを備えたメモリカードを、挿入して接続端子と電気的に接続するコネクタを備えた機器であって、前記コネクタに挿入して前記接続端子と当接した状態で電気的な接続をしたときと、電気的に接続した後に発生するチャタリングとをそれぞれ検出し、異なる検知信号を発生するチャタリング検出手段を備えたことを特徴とする電子機器。
【００１０】
（５）光ディスクを再生することができる光ディスク再生手段と、メモリと接触端子とを備えたメモリカードを、挿入して接続端子と電気的に接続するコネクタを備えると共に、前記コネクタに挿入して前記接続端子と当接した状態で電気的な接続をしたときと、電気的に接続した後に発生するチャタリングとをそれぞれ検出し、異なる検知信号を発生するチャタリング検出手段と、を備えたことを特徴とする光ディスク再生装置。
【００１１】
このように、メモリカードを所定の機器に装着した後に発生するチャタリング現象を検出するようにし、チャタリング現象を検出したときにはメモリカードへのアクセスを所定時間できないようにすることにより、チャタリングによる誤動作を防止することができ、メモリカードのみならず機器の信頼性を高めることが可能になる。
【００１２】
【発明の実施の形態】
次に、本発明に係るメモリカードチャタリング検出方法及び電子機器並びに光ディスク再生装置の実施形態について、図面を参照して説明する。
【００１３】
メモリカードを装着することができる装置は、図１に示すように、光ディスクのＣＤ（Ｃｏｍｐａｃｔ  Ｄｉｓｋ）、ＤＶＤ（Ｄｉｇｉｔａｌ  Ｖｅｒｓａｌｉｔｅ  Ｄｉｓｋ）等の媒体を再生することができる光ディスク再生装置１１であり、その構造は、箱型形状に形成された本体からなり、光ディスクを装着する光ディスク装着部１２と、その装着した状態を表示する表示部１３と、光ディスクの再生等の操作する操作ボタン１４、及び動作を示すランプ１５、及びメモリカード１６を装着するメモリカード装着部１７とを備えた構成になっており、その他のものは省略してある。
【００１４】
メモリカード装着部１７には、図１に示すように、メモリカードを装着するメモリカード機構部１８が取り付けてある。
【００１５】
ここで、先ず、メモリカード１６の構造について説明すると、図２に示すように、細長いスティック状に形成され、その長手方向の一方の端部に接点部１９を備えた構造となっている。
【００１６】
接点部１９は、図２及び図３に示すように、細長い平板形状の接触端子２０を整列状態にして複数個、実施例の場合は１０個整列状態に並べて形成され、それぞれの接触端子２０は、隣接する接触端子２０と接触しないようにガイド枠２１に覆われた中に陥没状態で配置した構造となっている。
このそれぞれの接触端子２０の面は、付勢力を持って当接状態で接続端子と接触するため、挿抜を繰り返して使用しているうちに、図３に示すように、端子面に凹凸に磨耗した凹凸磨耗面２２を形成する。この凹凸磨耗面２２は、通常は摺動方向に沿った線状の凹凸磨耗面２２になる。
【００１７】
メモリカード機構部１８は、図２に示すように、略長方形状の絶縁性樹脂で形成され、短手方向両端部にガイド部２４、２４を設け、長手方向の一方端部に導電性部材で形成された端子部２５を備えた基体２３と、この基体２３の内側であって、短手方向の一方のガイド部２４に沿って設けたメモリカード１６をプッシュアンドプッシュで装着と離脱をさせるハートカム構造のハートカム部２６と、このハートカム部２６に係合しメモリカード１６をガイドして装着及び離脱をするカムガイド部２７及びスプリング２８と、基体２３の上部からハートカム部２６にカムガイド部２７及びスプリング２８を係合させた状態にして爪２９，２９で係合固定するカバー部３０とからなる。
【００１８】
端子部２５は、図３、図４及び図５に示すように、く字状形状に形成した導電性の金属性ピンを整列状態に形成してなる接続端子３１ａ、３１ｂ、３１ｃを備え、その基部に当接部２５ａを備えた構造となっている。この接続端子３１ａ、３１ｂ、３１ｃは、両端部の接続端子３１ｃが長く、この両端部の接続端子３１ｃに挟まれ且つ両端部の接続端子３１ｃよりも短く形成された信号用接続端子３１ａ、３１ｂからなり、これらの信号用接続端子３１ａ、３１ｂのうち中央位置の接続端子３１ａは寸足らずに形成してメモリカード１６の挿入を検出する検知端子の機能を有する構造になっている。
【００１９】
図２に示すハートカム部２６は、図６に示すように、中央位置にハートカム３２を設け、そのハートカム３２を囲むように陥没深さの異なる複数のガイド溝を設けた構造になっている。
【００２０】
複数のガイド溝は、先ず、メモリカード１６を装着する方向に案内するハートカム３２の外側位置に設けた傾斜溝３３と、この傾斜溝３３に連設し且つ陥没深さが深い段差をもって形成された装填ガイド溝３４と、この装填ガイド溝３４に連設し且つ陥没深さが深い段差を持って形成したリリース溝３５と、リリース溝３５に連設され且つ陥没深さが深い段差を持って形成され、ハートカム３２の内側に沿って形成されたリリース解除溝３６とからなり、このリリース解除溝３６は傾斜溝３３に繋がっている。
【００２１】
このようなガイド溝を設けると共に、ハートカム３２を中心にして、ハートカム３２のハート中心位置の湾曲形状に形成した接続保持部３７と、接続保持部３７と斜め外側方向に対峙して形成した装填ガイド部３８と、接続保持部３７と斜め内側方向に対峙して形成したリリースガイド部３９とを設けた構造になっている。
【００２２】
この装填ガイド部３８が、メモリカード１６を挿入して端子部２５の当接部２５ａにメモリカード１６の先端部分が当接したときの位置であり、接続保持部３７が、メモリカード１６の接触端子２０が端子部２５の接続端子３１に接触した正常の接続状態の位置であり、リリースガイド部３９がメモリカード１６の先端部分が当接部２５ａに当接させ接続状態を解除する位置である。
【００２３】
図２に示すカムガイド部２７は、メモリカード１６の先端コーナに係合して、メモリカード１６の背後を押すことにより端子部２５方向にガイドすると共に、ハートカム部２６と連動して、メモリカード１６をプッシュのときに装着、再度プッシュしたときに解除の動作をする。
【００２４】
その構造は、メモリカード１６の先端コーナに係合する鍵形状のメモリカード係合ガイド部４０と、後端側にハートカム部２６の溝にガイドされて時計回転方向にガイドする振り子状に動くガイド凸部４１とからなる。
このような構造のカムガイド部２７は、基体２３の端子部２５側に設けたスプリング係合部４２に配置されたスプリング２８に係合されて、常時端子部２５から離れる方向に付勢力を付与する構造となっている。
【００２５】
このような構造からなるメモリカード機構部１８にメモリカード１６を挿入して接触端子２０を端子部２５の接続端子３１に当接状態で電気的に接続させることを、図７を参照して、図６に示すハートカム部２６を動くガイド凸部４１の動きに応じて説明する。
【００２６】
先ず、図７（Ａ）に示すように、メモリカードが挿入され、メモリカード１６が端子部２５方向に押されると、図６のＰ１の位置にガイド凸部４１が存在し、序々に端子部２５方向に押される。
【００２７】
次に、図７（Ｂ）に示すように、更に、メモリカード１６が押されてメモリカード１６の接触端子２０が端子部２５の接続端子３１ｂに接触した状態で、図６に示すガイド凸部４１がＰ２の位置に移動する。
【００２８】
次に、図７（Ｃ）に示すように、メモリカード１６が更に押され、当接部２５ａに当接するまで押されると、図６のガイド凸部４１がＰ３の位置で、接触端子３１ａ、３１ｂの奥方向の位置に接続端子２０が接触した状態となる。
【００２９】
この状態でメモリカード１６を押す力を解くと、図７（Ｄ）に示すように、スプリング２８の力により押し戻され、図６に示すガイド凸部４１がＰ４の位置の接続保持部３７で係止する。このとき、メモリカード１６の接触端子２０の略中間位置にく字状の接続端子３１ａ、３１ｂの頂点の接触部分が存在するようになり、一番安定した状態で接触していることになる。
【００３０】
この状態においては、メモリカード１６はカムガイド部２７のスプリング２８により端子部２５から離れる方向に付勢されているが、ガイド凸部４１がハートカム３２の接続支持部３７に係合されているから、メモリカード１６を外部から押す等しなければ安定した状態で接触端子２０が接続端子３１ａ、３１ｂに接続されている。
【００３１】
しかし、メモリカード１６が外部から押されると、ガイド凸部４１は図６において位置Ｐ４から位置Ｐ５に動ける体制になっている。これは、又、位置Ｐ４と位置Ｐ５の間のスパンはメモリカード１６が接続状態で動ける状態になっているのであり、もしこの位置Ｐ４と位置Ｐ５の間だけを動かすような力がメモリカード１６に加わると、接続端子３１ａ、３１ｂは接触端子２０に接触した状態で、その距離分だけ摺動することになり、これはチャタリングを発生させる一つの要因になる。何故ならば、上記図３に示すように、接触端子２０の端子面は凹凸磨耗面２２であるとすれば、その凹凸磨耗面２２上を接続端子３１ａ、３１ｂの頂点が摺動するからマクロ的に非接触状態になることがあるからである。
【００３２】
図８は、このチャタリングが発生する要素について説明したもので、先ず、ハートカム３２の内側位置であって、メモリカード１６を挿入直後でカムガイド部２７に係合したときには、まだ接触端子２０と接続端子３１ａ、３１ｂは接続されていない。そして、メモリカード１６の背後を手で押すことにより端子同士が接触すると、その場で止まらないから接触端子２０の上部を接続端子３１ａ、３１ｂの頂点部分が摺動するので接触状態は不安定な状態になる。そして、挿入状態が完了してハートカム３２の接続保持部３７に係合すると、端子同士の動きはなくなり安定した状態になる、抜去動作、即ち、メモリカード１６の背後を押すことにより、ハートカム３２の接続保持部３７から外れることにより、端子同士が接触しながら摺動して動くため不安定な状態、即ち、チャタリングが起き易い状態になり、ハートカム３２に沿って後方に移動すれば、端子同士が非接触状態になり不安定な状態から脱する。
【００３３】
このように、端子同士が接触状態であっても、抜去する際のクリアランスがあるため、そのクリアランス間の端子同士の摺動はチャタリングを発生させる一要因になる。
【００３４】
図９及ぶ図１０は、挿入した時に発生する挿入時チャタリングを防止することに加えて、この端子同士が接触した状態の後で発生する挿入後チャタリングを検知して防止するための回路及び検出方法をタイミングチャートで表したものである。
【００３５】
図９に示す回路は、端子部２５の検知端子３１ａに接続するマルチバイブレータ４５とアンド回路４６とを組み合わせた回路構成にしたものである。このマルチバイブレータ４５には、一定の時定数を設定する抵抗ＲとコンデンサＣｃを備えており、チャタリングが発生したときの安定する期間を設定できる構成になっている。
【００３６】
このような回路においてチャタリングを検出するには、先ず、「Ａ信号」の挿入検知端子３１ａがメモリカード１６の接触端子２０が検知端子３１ａに接触したときに信号がローになり、マルチバイブレータ４５が働き、「Ｂ信号」を所定時間、ローにする。このようにすることにより、接触端子２０の挿入時におけるチャタリングのパルス信号Ｐ１を無視することができる。
【００３７】
この状態で接触状態が安定していれば問題がないが、メモリカード１６に対して、抜き差し等のこじり或いは意地悪な動作が加わると、接触している端子間において、上述図３に示したように接触端子２０面に凹凸磨耗面２２になっている場合にはことさらに、接触状態から非接触状態になり、所謂、挿入後チャタリングが発生する。
【００３８】
この挿入後チャタリングは、「Ａ信号」が接触状態であるときにローをキープしているときに発生する矩形波のパルス信号Ｐ２を検出することにより検知できる。
即ち、このパルス信号が生成されて「Ａ信号」がハイになり、且つマルチバイブレータ４５の出力信号の「Ｂ信号」がハイであることを条件に、アンド回路４６の出力信号であるチャタリング検知信号（Ｃ信号）がハイになりチャタリングが発生したことを検知することができる。
【００３９】
又、挿入後チャタリングの最初のパルス信号Ｐ２がローになったときにマルチバイブレータ４５が駆動し、一定期間のロー信号を生成することにより、アンド回路４６の出力信号のチャタリング検知信号（「Ｃ信号」）がハイになり、このチャタリング検知信号がハイになったことを検出すれば、その間のメモリカード１６へのアクセスを制限することができる。
【００４０】
又、これらの「Ａ信号」、「Ｂ信号」、「Ｃ信号」は、図示しないコントローラのクロック（ＩＮＳ検知信号）に同期させることにより、接触端子２０と接続端子３１ａ、３１ｂが接触状態の後に発生した挿入後チャタリングを検知することができる（一回一致検知信号）。又、挿入時の挿入時チャタリングは「Ａ信号」がキープローになったときに、例えば、３回のパルス信号が発生すれば、これは挿入時チャタリングであると検知する三回一致検知信号をローになり、この信号のロー状態を検知すれば、現在のチャタリングは挿入時チャタリングであると判断することができるのである。
【００４１】
このようにして、チャタリングをハード的な簡単な回路構成により検出することができると共に、ソフト的に検出することができ、これらの検知状態を組み合わせることにより更なる確実にチャタリングを検出することができるのである。
【００４２】
【発明の効果】
上記説明したように、本発明に係るメモリカードコネクタチャタリング検出方法及び電子機器並びに光ディスク再生装置は、メモリカードが挿抜する際に発生するチャタリングを検出すると共に、装着時におけるチャタリングも検出するようにしたことにより、メモリカードが動作中における誤動作を回避することができ、機器の性能を向上させることができるという効果がある。
【図面の簡単な説明】
【図１】本発明に係るメモリカードチャタリング検出方法を備えた装置を略示的に示した全体構成図である。
【図２】同メモリカードを装着するユニット機構部を分解して示した全体構成図である。
【図３】  同メモリカードの端子面を拡大して示した説明図である。
【図４】  同ユニット機構部の端子部の要部斜視図である。
【図５】  同ユニット機構部の端子部の要部平面図である。
【図６】  同ユニット機構部のハートカム部の要部斜視図である。
【図７】ユニット機構部の端子部にメモリカードの端子とが接続する様子を示した説明図である。
【図８】チャタリングの発生する様子を示した説明図である。
【図９】チャタリングを検出する回路構成を示した説明図である。
【図１０】チャタリングを検出する回路構成によるタイミングチャートである。
【符号の説明】
１１；光ディスク再生装置、１２；光ディスク装着部、１３；表示部、１４；操作ボタン、１５；ランプ、１６；メモリカード、１７；メモリカード装着部、１８；メモリカード機構部、１９；接点部、２０；接触端子、２１；ガイド枠、２２；凹凸摩擦面、２３；基体、２４；ガイド部、２５；端子部、２５ａ；当接部、２６；ハーとカム部、２７；カムガイド部、２８；スプリング、２９；爪、３０;カバー部、３１；接続端子、３１ａ；接続端子（検知端子）、３１ｂ；接続端子（信号用）、３１ｃ；接続端子、３２；ハーとカム、３３；傾斜溝、３４；装填ガイド溝、３５；リリース溝、３６；リリース解除溝、３７；接続保持部、３８；装填ガイド部、３９；リリースガイド部、４０；メモリカード係合ガイド部、４１；ガイド凸部、４５；マルチバイブレータ、４６；アンド回路。
【図１】
0004036010.tif 000002
【図２】
0004036010.tif 000003
【図３】
0004036010.tif 000004
【図４】
0004036010.tif 000005
【図５】
0004036010.tif 000006
【図６】
0004036010.tif 000007
【図７】
0004036010.tif 000008
【図８】
0004036010.tif 000009
【図９】
0004036010.tif 000010
【図１０】
0004036010.tif 000011